(57)【特許請求の範囲】
【請求項１】
音楽信号を音楽データとして録音する際の録音設定情報を取得する手段と、
前記音楽データに取得した録音設定情報を付加し、かつ前記録音設定情報が付加されていることを示すフラグを付加して音楽ファイルデータを作成する手段と、
作成された前記音楽ファイルデータを記憶する記憶手段と、
前記記憶手段から前記フラグが付加された音楽ファイルデータの名称のみ、あるいは前記フラグが付加された音楽ファイルデータに特定のマークを付加して音楽ファイルデータの名称を表示する表示手段と、
前記表示手段に表示された音楽ファイルデータの名称から所望の音楽ファイルデータを選択する手段と、
選択された音楽ファイルデータに付加されている録音設定情報を取得し、音楽信号を録音する際の録音設定情報として自動設定する手段と、
を備えることを特徴とする録音装置。
【請求項２】
請求項１に記載の録音装置において、
前記録音設定情報には、録音レベル、録音モード、リミッタレベル、ローカットの有無の少なくともいずれかが含まれる
ことを特徴とする録音装置。
【発明の詳細な説明】
【技術分野】
【０００１】
本発明は録音装置に関し、特に録音条件の管理に関する。
【背景技術】
【０００２】
音声信号を録音する際には、録音機器を操作して録音レベルや録音モード、音響効果等を設定することが必要となる。
【０００３】
特許文献１には、番組ストリームに対応する記録再生装置・周辺装置の設定情報を、番組ストリームと同一の記録媒体に記録することが記載されている。
【０００４】
特許文献２には、複数の録画シーンに対応した複数の録音設定情報を記録しておき、指定される録画シーンに対応する録音設定情報に基づいて撮影時の録音を制御することが記載されている。
【先行技術文献】
【特許文献】
【０００５】
【特許文献１】特開２００１−１１９６６４号公報
【特許文献２】特開２００６−２１７１１１号公報
【発明の概要】
【発明が解決しようとする課題】
【０００６】
記録再生装置・周辺装置の設定情報を記録媒体に記録しておくことは有効であるが、特定の番組ストリームデータを当該記録媒体から抜き出して別の媒体等に送信する場合等には、その番組ストリームデータの設定情報が欠落してしまうことになる。特に、記録すべきデータが音楽信号である録音装置の場合、録音した音楽ファイルデータをインターネットやＬＡＮ、あるいはＷｉ−Ｆｉ等で他の機器あるいは他の媒体に送信する場合が多く、このような問題が顕在化し得る。
【０００７】
本発明は、音楽信号を録音する際に、所望の録音条件を簡易に設定できるとともに、録音された音楽ファイルデータを他の機器等に送信する場合においても当該録音条件をそのまま維持できる装置を提供することにある。
【課題を解決するための手段】
【０００８】
本発明の録音装置は、音楽信号を音楽データとして録音する際の録音設定情報を取得する手段と、前記音楽データに取得した録音設定情報を付加し、かつ前記録音設定情報が付加されていることを示すフラグを付加して音楽ファイルデータを作成する手段と、作成された前記音楽ファイルデータを記憶する記憶手段と、前記記憶手段から前記フラグが付加された音楽ファイルデータの名称のみ、あるいは前記フラグが付加された音楽ファイルデータに特定のマークを付加して音楽ファイルデータの名称を表示する表示手段と、前記表示手段に表示された音楽ファイルデータの名称から所望の音楽ファイルデータを選択する手段と、選択された音楽ファイルデータに付加されている録音設定情報を取得し、音楽信号を録音する際の録音設定情報として自動設定する手段とを備えることを特徴とする。
【００１０】
本発明において、前記録音設定情報には、録音レベル、録音モード、リミッタレベル、ローカットの有無の少なくともいずれかが含まれ得る。
【発明の効果】
【００１１】
本発明によれば、音楽信号を録音する際に、所望の録音条件を簡易に設定することができる。また、録音設定情報は音楽ファイルデータの一部として音楽ファイルデータに付加されているため、音楽ファイルデータを他の機器等に送信した場合においても当該録音条件をそのまま維持・再現し得る。
【図面の簡単な説明】
【００１２】
【図１】実施形態の構成ブロック図である。
【図２】実施形態の処理フローチャートである。
【図３】実施形態の音楽ファイルデータの構成図である。
【発明を実施するための形態】
【００１３】
以下、図面に基づき本発明の実施形態について、ポータブルデジタルレコーダを例にとり説明する。ポータブルデジタルレコーダは、一般に、音源からの音楽信号（ここでは、音声信号や楽音信号を含めて音楽信号と定義する）を入力し、デジタル信号に変換して所定の信号処理を施し、内蔵あるいは外付けの記憶媒体に音楽ファイルデータとして記憶する。ポータブルデジタルレコーダは、２チャンネル（Ｒチャンネル及びＬチャンネル）あるいはそれ以上のチャンネル数を備えていてもよく、複数チャンネルに入力された音楽信号をミキシングして録音する機能を備えていてもよい。ポータブルデジタルレコーダは、ＵＳＢ等を介してコンピュータに接続可能であり、コンピュータとの間で音楽ファイルデータを送受できる。
【００１４】
図１は、本実施形態におけるポータブルデジタルレコーダの構成ブロック図である。ポータブルデジタルレコーダは、指向性あるいは無指向性内蔵マイク１０と、外部入力端子１２と、スピーカ１４と、インタフェース１６と、コーデック（ＣＯＤＥＣ）１８と、操作部２０と、表示部２２と、Ｗｉ−Ｆｉモジュール２４と、システムコントローラ２６と、プログラムメモリ２８と、ＲＡＭ３０と、コネクタ３２と、ＳＤメモリ３４を備え、これらがバスで互いに接続される。
【００１５】
内蔵マイク１０及び外部入力端子１２は、入力源として切替可能に構成され、音源からの音楽信号を入力してインタフェース１６に供給する。インタフェース１６は、音声信号のレベルを調整してコーデック１８に出力する。
【００１６】
コーデック１８は、アナログ音楽信号をデジタル信号に変換し、符号化してデジタル音楽信号としてシステムコントローラ２６に出力する。また、コーデック１８は、システムコントローラ２６から供給されたデジタル音楽信号を復号化し、アナログ信号に変換してスピーカ１４から出力する。符号化の一例はＰＣＭであるが、これに限定されない。また、必要に応じて符号化とともに圧縮（可逆あるいは非可逆）してもよい。
【００１７】
操作部２０は、各種ボタンやダイヤルを含み、ユーザが各種操作を行い、操作結果をシステムコントローラ２６に供給する。各種操作には、録音開始、中止、ポーズ、再生、早送り、入力切替、メニュー表示、録音レベル調整、録音モード、音響効果（リミッタやローカット）、ディレイ調整、フォルダの作成、音楽ファイルの選択／削除、音楽ファイルの送信等が含まれる。
【００１８】
表示部２２は、液晶パネルや有機ＥＬパネルで構成され、各種情報を表示する。各種情報には、録音レベルや時間、フォルダ一覧、音楽ファイル一覧、複数チャネルが存在する場合の各チャネルのレベル等が含まれる。
【００１９】
Ｗｉ−Ｆｉモジュール２４は、他のＷｉ−Ｆｉ機器と音楽ファイルデータその他のデータの送受を行う。Ｗｉ−Ｆｉモジュール２４を介してスマートフォンとデータを送受してもよく、スマートフォンからポータブルデジタルレコーダに制御データを送信してポータブルデジタルレコーダをコントロールしてもよい。
【００２０】
システムコントローラ２６は、ＣＰＵで構成され、ＥＥＰＲＯＭ等のプログラムメモリ２８に記憶された処理プログラムに従い、ＲＡＭ３０をワーキングメモリとして用いて所定の処理を実行する。本実施形態では、システムコントローラ２６は、特に録音時に所定の形式で音楽ファイルデータを作成し、かつ、ユーザが選択した音楽ファイルデータに含まれる録音設定情報を取得して録音時の設定に反映させる処理を実行する。システムコントローラ２６は、作成した音楽ファイルデータをコネクタ３２経由でＳＤメモリ３４に記憶する。また、システムコントローラ２６は、ユーザが選択した音楽ファイルデータをＳＤメモリ３４から読み出し、当該音楽ファイルデータを再生する、あるいは当該音楽ファイルデータに含まれる録音設定情報を取得する。システムコントローラ２６の機能を列挙すると、以下の通りである。
・録音の際の録音設定情報の取得
・音楽データ（音楽信号）に録音設定情報を付加して音楽ファイルデータの作成
・作成した音楽ファイルデータの記録媒体への記憶
・選択された音楽ファイルデータに付加されている録音設定情報の取得（読み出し）
・取得した（読み出した）録音設定情報を次回録音時の録音設定情報に反映（自動設定）
なお、録音設定情報は、録音時の録音条件と言い換えることができる。以下では、適宜、録音設定情報を録音条件あるいは録音条件パラメータとして説明する。
【００２１】
図２は、本実施形態における録音時の処理フローチャートである。
【００２２】
まず、システムコントローラ２６は、操作部２０からの操作信号に基づき、録音か否かを判定する（Ｓ１０１）。録音である場合（Ｓ１０１でＹＥＳ）、次に、ユーザが音楽ファイルを選択したか否かを判定する（Ｓ１０２）。未だ音楽ファイルが存在しない場合、あるいは音楽ファイルが存在しても新たに録音条件を設定したい場合、ユーザは音楽ファイルを選択しない。音楽ファイルが選択されない場合（Ｓ１０２でＮＯ）、ユーザは、新たに録音条件を設定する（Ｓ１０３）。録音条件は、録音レベル、録音モード、リミッタ、ローカット、ディレイ調整等であるが、これらに限定されない。音声信号を録音する際に必要となる任意の条件が含まれ得る。
【００２３】
ユーザが操作部２０を操作し、録音レベルや録音モード等を設定すると、システムコントローラ２６は、この録音条件で録音を実行するとともに、ユーザが設定した録音条件を録音条件パラメータとして取得する（Ｓ１０４）。録音条件パラメータは、例えば（録音レベル、録音モード、リミッタレベル、ローカット、ディレイ）の組から構成される。録音モードには、ＰＣＭ録音／ＭＰ３録音／等の区別、サンプリング周波数の区別等が含まれ得る。ローカットには、ローカットフィルタの有無、ローカットフィルタの周波数の区別が含まれ得る。ディレイには、意図的に録音を遅らせる機能の有無が含まれる。なお、ディレイ機能をオンにすることで、録音ボタンの操作から所定時間だけ遅れて録音を開始することでボタン操作に伴う操作ノイズの混入を防止できる。
【００２４】
録音条件パラメータを取得すると、システムコントローラ２６は、取得した録音条件パラメータを音楽データに付加して音楽ファイルデータを所定の形式で作成し（Ｓ１０５）、ＳＤメモリ３４に記憶する（Ｓ１０６）。音楽ファイルデータの形式についてはさらに後述する。音楽ファイルデータを作成する際に、録音条件パラメータを付加して作成した場合、当該音楽ファイルデータのヘッダ等に録音条件パラメータが付加されていることを示すフラグを設定しておく。
【００２５】
他方、Ｓ１０２でＹＥＳ、すなわちユーザが音楽ファイルを選択した場合、システムコントローラ２６は、選択された音楽ファイルデータをＳＤメモリ３４から読み出し、読み出した音楽ファイルデータに付加されている録音条件パラメータを取得する（Ｓ１０７）。なお、ユーザが音楽ファイルを選択する際には、システムコントローラ２６は、録音条件パラメータが付加されている音楽ファイルの一覧を表示部２２に表示してユーザの選択を容易化することが望ましい。具体的には、ユーザが操作部２０の特定のボタンを操作すると、システムコントローラ２６は、この操作信号に応じてＳＤメモリ３４にアクセスし、ＳＤメモリ３４に記憶されている音楽ファイルデータのうち、録音条件パラメータが付加されている音楽ファイルデータを抽出し（ヘッダにフラグが付加されている音楽ファイルデータを抽出）、抽出した音楽ファイルデータの名称を表示部２２に一覧表示する。勿論、ＳＤメモリ３４に記憶された全ての音楽ファイルデータの名称を表示部２２に一覧表示し、録音条件パラメータが付加されている音楽ファイルデータに特定のマークを表示するようにしてもよい。例えば、
セッション１.wav
セッション２.wav
＊セッション３.wav
＊セッション４．wav
・・・
等である。上記の例において、ファイル名先頭のアスタリスク（＊）は録音条件パラメータが付加されていることを示す。
【００２６】
ユーザが一覧表示された音楽ファイルデータの中から所望の音楽ファイルデータを選択すると、システムコントローラ２６は、選択された音楽ファイルデータに付加されている録音条件パラメータを取得する(読み出す)。録音条件パラメータを取得すると、システムコントローラ２６は、取得した録音条件パラメータを用いて録音条件を設定し（Ｓ１０８）、録音を実行する。具体的には、システムコントローラ２６は、インタフェース１６やコーデック１８を制御して録音レベル、リミッタ、ローカット、ディレイの各パラメータを自動設定して録音する。録音条件が既に設定されていれば、これに代えて、取得した録音条件パラメータを新たに自動設定する。
【００２７】
以降は、音楽ファイルを選択しなかった場合と同様であり、録音条件パラメータを付加して音楽ファイルデータを作成し（Ｓ１０５）、作成した音楽ファイルデータをコネクタ３２経由でＳＤメモリ３４に記憶する（Ｓ１０６）。なお、この場合の録音条件パラメータは、Ｓ１０７で取得した録音条件パラメータと同一である。
【００２８】
より具体的に説明すると、以下の通りである。すなわち、ユーザがあるスタジオで特定の音楽を特定の録音条件で録音し、「音楽１．wav」の名称で特定フォルダに記憶したとする。「音楽１.wav」ファイルデータには、音楽ファイルデータの一部として録音条件パラメータが付加されており、
録音レベル＝Ｌ１
録音モード＝ＰＣＭ
リミッタレベル＝Ｌｍ１
ローカット＝４０Ｈｚ
ディレイ＝ＯＮ
等として記憶される。
【００２９】
同一あるいは異なるユーザが、別のスタジオで別の音楽を所望の録音条件で録音する場合、そのユーザは操作部２０を操作して録音条件を所望の録音条件に設定して録音し、「音楽２.wav」の名称で同一あるいは異なるフォルダに記憶する。「音楽２.wav」ファイルデータには録音条件パラメータが付加されており、
録音レベル＝Ｌ２
録音モード＝ＰＣＭ
リミッタレベル＝Ｌｍ２
ローカット＝４０Ｈｚ
ディレイ＝ＯＦＦ
等として記憶される。
【００３０】
他方、同一あるいは異なるユーザが、同一スタジオで別の音楽を音楽１の録音時と同一条件で録音しようとする場合、録音に際してユーザは操作部２０を操作して「音楽１.wav」ファイルを選択することで録音条件を「音楽１.wav」と同一条件に設定する。そして、ユーザは「音楽３．wav」の名称で特定フォルダに記憶する。ユーザは、操作部２０を操作して録音条件を細かく設定するのではなく、単に音楽ファイルを選択するだけである点に留意されたい。
【００３１】
このように、ユーザは、録音を行う際に、その都度、録音条件を設定するのではなく、単に音楽ファイルを選択するだけで、自動的にその音楽ファイルを録音したときの録音条件と同一の録音条件が設定されるため、極めて容易に所望の条件で録音を行うことができる。ユーザは、通常、特定の箇所における特定の音楽を録音したときの条件を覚えており、そのときと同一の条件で録音したいと欲する場合が少なくない。本実施形態では、音楽ファイルデータにそのときの録音条件パラメータを付加して記憶しておくので、ユーザの実際の録音手順あるいは録音感覚に合わせて録音条件を自動設定することができる。
【００３２】
なお、録音条件パラメータを取得して、音楽ファイルデータとともにＳＤメモリ３４に録音条件パラメータを記憶させ、音楽ファイルデータと録音条件パラメータとを互いに関連付けておくことも可能である。但し、音楽ファイルデータをコンピュータその他の機器に送信する場合、録音条件パラメータのみがＳＤメモリ３４に残存してしまい、送信された音楽ファイルデータには録音条件パラメータが存在していないので、送信先において録音条件を再現することができなくなる。これに対し、本実施形態では、音楽ファイルデータの一部として録音条件パラメータが存在しているため、他の機器に音楽ファイルデータを送信したとしても、録音条件パラメータもそれに付随して送信されるため、送信先においても録音条件を容易に再現することが可能である。
【００３３】
また、本実施形態において、ＳＤメモリ３４を抜き出して別の機器に挿入し、当該別の機器においてＳＤメモリ３４から音楽ファイルデータを読み出すことで、録音条件パラメータを容易に設定することができる。
【００３４】
さらに、本実施形態において、複数の機器のいずれかをマスター機器、他の機器をスレーブ機器として、マスター機器から各スレーブ機器に音楽ファイルデータを送信することで、全てのスレーブ機器に対して同一の録音条件を自動設定することも可能である。
【００３５】
図３は、本実施形態における音楽ファイルデータ１００の構成例である。音楽ファイルデータ１００は、フォーマット情報１０２、音楽データ１０４、マーク（Ｍａｒｋ）情報１０６、及び録音設定情報１０８を含んで構成される。マーク情報１０６は、録音一時停止から再び録音を開始した場合や録音中にユーザが特定のボタン（マークボタン）を操作した場合に記録される情報（しおり情報）であり、このマーク情報を用いることで所望の位置に容易に移動することができる。録音設定情報１０８は、録音条件パラメータである。録音設定情報１０８は、チャンクとして音楽データ１０４に続いて存在していてもよい。あるいは、ヘッダ情報の一つとしてヘッダ部に付加されていてもよい。いずれにせよ、録音設定情報１０８は、音楽ファイルデータ１００の一部として付加される。録音設定情報１０８は音楽データ１０４と分離して付加されるため、録音設定情報１０８を取得する際に、音楽ファイルデータの全てを再生する必要はなく、録音設定情報１０８が付加されている部分のみを再生して取得することが可能である。
【００３６】
以上、本発明の実施形態について説明したが、本発明はこれに限定されるものではなく、種々の変形が可能である。
【００３７】
例えば、予めいくつかの録音条件パラメータをプログラムメモリ２８に記憶しておくとともに、音楽ファイルデータに録音条件パラメータを付加してもよい。プログラムメモリ２８に３パターン程度の録音条件パラメータを記憶しておき、ユーザがこれら３パターンのいずれかのパターンを選択して録音条件を設定してもよく、これら３パターンで満足できない場合に音楽ファイルを選択して所望の録音条件を設定してもよい。
【００３８】
また、システムコントローラ２６は、前回録音時の録音条件をプログラムメモリ２８あるいはＳＤメモリ３４に記憶しておき、新たに録音する場合に前回録音時の録音条件をデフォルトの録音条件として設定し、ユーザが音楽ファイルを選択しない場合に前回録音時の録音条件で録音を実行してもよい。
【００３９】
また、本実施形態では、ユーザが音楽ファイルを選択することで、当該音楽ファイルデータに付加されている録音条件パラメータを自動的に取得する構成であるが、これとは別に、音楽ファイルデータを再生したときに、自動的に当該音楽ファイルデータに付加されている録音条件パラメータを自動的に取得してもよい。再生後に録音する場合、直前に再生した音楽ファイルデータに付加されている録音条件を自動的に設定して録音を開始してもよい。但し、本実施形態において、音楽ファイルデータの再生は、当該音楽ファイルデータに付加されている録音条件パラメータの取得に必須の処理ではない。
【００４０】
また、本実施形態では、録音に際して音楽ファイルを選択することで録音条件を自動的に設定しているが、表示部２２にメニューを表示し、「録音条件の設定」項目を選択し、次いで表示部２２に表示された音楽ファイルの一覧から所望の音楽ファイルを選択することで録音条件を自動設定してもよい。本実施形態における録音条件の「自動設定」とは、録音条件パラメータを手動設定するのではなく、所望の音楽ファイルを選択することでその音楽ファイルの録音条件と実質的に同一の録音条件を設定することを意味する。
【００４１】
また、本実施形態では、音楽ファイルデータをＳＤメモリ３４に記憶する構成であるが、これに代えて他の記憶媒体、例えばＵＳＢメモリに記憶してもよいし、有線または無線通信を介して外部記憶装置に転送して記憶するようにしてもよい。音楽ファイルデータのファイル形式もＷＡＶ形式、ＭＰ３形式以外の任意の形式に適用し得る。
【００４２】
また、本実施形態では、ユーザが録音に際して特定の音楽ファイルを選択することで、音楽ファイルデータに付加されている録音条件パラメータを取得して録音条件として自動設定しているが、自動設定された録音条件パラメータをユーザがさらに微調整した上で録音を実行してもよい。
【００４３】
さらに、本実施形態では、録音条件パラメータとして、録音レベル、録音モード、リミッタレベル、ローカット、ディレイを例示したが、これらのうちの少なくともいずれかを用いることができる。録音条件パラメータには、ユーザが操作部２０から操作することで調整するパラメータ以外のパラメータも含み得る。このことは、システムコントローラ２６が録音時の周囲環境を自動的に検知し、検知した情報を録音条件パラメータとして自動的に音楽ファイルデータに付加してもよいことを意味する。
【符号の説明】
【００４４】
１０  内蔵マイク、１２  外部入力端子、１４  スピーカ、１６  インタフェース、１８  コーデック（ＣＯＤＥＣ）、２０  操作部、２２  表示部、２４  Ｗｉ−Ｆｉモジュール、２６  システムコントローラ、２８  プログラムメモリ、３０  ＲＡＭ、３２  コネクタ、３４  ＳＤメモリ。
【図１】
0006503652.tif 000002
【図２】
0006503652.tif 000003
【図３】
0006503652.tif 000004